(57)【要約】      （修正有）【課題】カメラレンズが回動すると同時に照明装置も回動し、カメラレンズの撮影効果を高める、連動式赤外線監視装置を提供する。【解決手段】連動式赤外線監視装置は、主に座体２１、カメラレンズ２２、水平回動装置２３、垂直回動装置２４、透明カバー３、遮蔽カバー２６、少なくとも１つの照明装置４、少なくとも１つの連結体５から構成され、そのうち、前記遮蔽カバーが前記座体内部に設置され、内部に収容された各部材の遮蔽に用いられ、前記カメラレンズが前記連結体を介して照明装置と連結され、これにより、前記カメラレンズが旋回するとき前記照明装置が同時に回動され、光を補い前記カメラレンズの撮影効果を高めるという目的を達することができる。【選択図】図４
0003152256.tif 000002
【実用新案登録請求の範囲】
【請求項１】
連動式赤外線監視装置であって、
座体と、
前記座体上に設置したカメラレンズと、
前記座体内部に設置した水平回動装置と、
前記座体内部に設置した垂直回動装置と、
前記座体内部に設置し、前記座体内に収容された部材を被覆するために用いる遮蔽カバーと、
前記座体上に設置し、前記カメラレンズを被覆する透明カバーと、
前記透明カバーの外側に設置した少なくとも１つの照明装置と、
前記カメラレンズと前記照明装置を連結するために用いる少なくとも１つの連結体と、を含み、
そのうち、前記連結体が前記照明装置と前記カメラレンズを相互に連結し、前記カメラレンズが前記水平回動装置と前記垂直回動装置により回動されると、前記照明装置も前記カメラレンズと共に同時に回動され、光を補う効果を効果的に達し、かつ前記遮蔽カバーにより前記座体内に収容された部材を被覆することで、外物が前記座体内に進入するのを防止することを特徴とする、
連動式赤外線監視装置。
【請求項２】
前記照明装置が複数の発光ダイオードを排列して成ることを特徴とする、請求項１に記載の連動式赤外線監視装置。
【請求項３】
前記照明装置の形状が、方形、長方形、円形等の形態とできることを特徴とする、請求項１に記載の連動式赤外線監視装置。
【請求項４】
前記透明カバー上に少なくとも１つの通孔を設け、前記連結体を穿設するために用いることを特徴とする、請求項１に記載の連動式赤外線監視装置。
【請求項５】
前記座体の一端に固定部材を設けたことを特徴とする、請求項１に記載の連動式赤外線監視装置。
【請求項６】
前記透明カバーの外にさらに外殻を設置し、前記透明カバーの強度を増加したことを特徴とする、請求項１に記載の連動式赤外線監視装置。
【請求項７】
前記カメラレンズの支持と搭載に用いる支持体を設けたことを特徴とする、請求項１に記載の連動式赤外線監視装置。
【考案の詳細な説明】
【技術分野】
【０００１】
本考案は連動式赤外線監視装置に関し、特に、撮影効果を高めることができる監視カメラの構造に関するものである。
【背景技術】
【０００２】
図１と図２に示すように、一般に使用されている監視カメラ１は、主にレンズ１１の周囲付近に複数の発光ダイオード１２を設置し、レンズ１１が撮影を継続的に行う際、周辺環境の明るさが暗かったり、光源が不足したりしているとき、レンズ１１の周囲に設置した複数の発光ダイオード１２が照明をオンにして光を補う。しかしながら、この類の監視カメラ１は発光ダイオード１２がレンズ１１周囲に設置されているため、発光ダイオード１２の照射する光線がレンズ１１に影響し、その映像キャプチャ効果が大幅に低下する。さらに、発光ダイオード１２が内部に設置されているため、使用する場所に応じて発光ダイオード１２の数量を増加または減少することができず、メンテナンスの面でも手間がかかる。また、監視カメラ１を夜間に使用する場合、発光ダイオード１２の発する光線が蚊などの虫を引き寄せ、蚊などの虫が飛んでいるときにレンズ１１を遮蔽して撮影効果に影響することがある。さらに、監視カメラ１を長時間使用すると、水蒸気や異物が内部に進入し、照明装置内部部材が損壊したり、監視カメラのレンズを遮蔽したりする状況が発生することもある。
【考案の概要】
【考案が解決しようとする課題】
【０００３】
本考案の第一の目的は、監視カメラ装置が主に座体、カメラレンズ、水平回動装置、垂直回動装置、透明カバー、遮蔽カバー、少なくとも１つの照明装置、少なくとも１つの連結体から構成され、前記連結体により前記カメラレンズと前記照明装置が連結され、前記カメラレンズが回動すると同時に前記照明装置も前記カメラレンズと共に回動し、前記カメラレンズの撮影効果を高めるという目的を達する、連動式赤外線監視装置を提供することにある。
【０００４】
本考案の第二の目的は、前記座体内に前記遮蔽カバーが設置され、前記覆座体内に収容された各部材を被覆し、これにより異物や水蒸気が前記座体内部に進入するのを防ぎ、各部材の損壊を防止するという目的を達する、連動式赤外線監視装置を提供することにある。
【０００５】
本考案の第三の目的は、前記照明装置が透明カバー外側に単独で設置され、かつ前記連結体と分離でき、これにより前記照明装置が前記監視カメラ装置の設置場面と環境に基づいて、同時に２つの照明装置を設置したり、単一の照明装置のみを設置したりすることができ、また照明の明るさがより強いまたはより弱い照明装置に交換することができ、使用上の利便性という目的を達する、連動式赤外線監視装置を提供することにある。
【０００６】
本考案の第四の目的は、前記照明装置が前記透明カバーの外側に独立して設置され、かつ前記カメラレンズと分離して設置されているため、前記照明装置が光線を照射するとき、前記カメラレンズに対する光の悪影響を大幅に減少し、前記カメラレンズに最良の撮影効果を達させるという目的を達する、連動式赤外線監視装置を提供することにある。
【０００７】
本考案の第五の目的は、前記照明装置が前記透明カバーの外側に独立して設置され、かつ前記カメラレンズと分離して設置されているため、長時間使用したとき、前記照明装置の照射時に発生する熱エネルギーが前記カメラレンズに影響し、破損させることがなく、かつ前記カメラレンズが前記透明カバーで被覆されているため、前記照明装置が熱エネルギーにより水蒸気を発生しても、前記カメラレンズを損壊し撮影効果に影響することがない、連動式赤外線監視装置を提供することにある。
【課題を解決するための手段】
【０００８】
上述の目的と効果を達するため、本願の第１考案は、連動式赤外線監視装置であって、座体、前記座体上に設置したカメラレンズ、前記座体内部に設置した水平回動装置、前記座体内部に設置した垂直回動装置、前記座体内部に設置し、前記座体内に収容された部材を被覆するために用いる遮蔽カバー、前記座体上に設置し、前記カメラレンズを被覆する透明カバー、前記透明カバーの外側に設置した少なくとも１つの照明装置、前記カメラレンズと前記照明装置を連結するために用いる少なくとも１つの連結体を含み、そのうち、前記連結体が前記照明装置と前記カメラレンズを相互に連結し、前記カメラレンズが前記水平回動装置と前記垂直回動装置により回動されると、前記照明装置も前記カメラレンズと共に同時に回動され、光を補う効果を効果的に達し、かつ前記遮蔽カバーにより前記座体内に収容された部材を被覆することで、外物が前記座体内に進入するのを防止することを特徴とする、連動式赤外線監視装置を提供する。
本願の第２考案は、前記照明装置が複数の発光ダイオードを排列して成ることを特徴とする、前記第１考案の連動式赤外線監視装置を提供する。
本願の第３考案は、前記照明装置の形状が、方形、長方形、円形等の形態とできることを特徴とする、前記第１考案の連動式赤外線監視装置を提供する。
本願の第４考案は、前記透明カバー上に少なくとも１つの通孔を設け、前記連結体を穿設するために用いることを特徴とする、前記第１考案の連動式赤外線監視装置を提供する。
本願の第５考案は、前記座体の一端に固定部材を設けたことを特徴とする、前記第１考案の連動式赤外線監視装置を提供する。
本願の第６考案は、前記透明カバーの外にさらに外殻を設置し、前記透明カバーの強度を増加したことを特徴とする、前記第１考案の連動式赤外線監視装置を提供する。
本願の第７考案は、さらに前記カメラレンズの支持と搭載に用いる支持体を設けたことを特徴とする、前記第１考案の連動式赤外線監視装置を提供する。
【考案の効果】
【０００９】
本考案は従来品と比較して次のような利点がある。
１．照明装置４の単独設置により、その光の照射のカメラレンズ２２に対する悪影響を大幅に低下させ、カメラレンズ２２の映像キャプチャ効果を高めることができる。
２．夜間の使用時、照明装置４の光の照射が蚊などの虫を引き寄せるため、照明装置４とカメラレンズ２２をそれぞれ単独で設置し、蚊などの虫が近照明装置４に引き寄せられて飛ぶときにカメラレンズ２２の撮影動作に影響するのを回避できる。
３．照明装置４そのものが複数の発光ダイオードを排列して成り、発光ダイオードが発光時に高温を発生するため、照明装置４の単独設置で発光ダイオードの発生する高温がカメラレンズ２２と監視カメラ装置２内の関連部材を損壊させる問題を回避するほか、高温により発生する水蒸気（水気）が直接カメラレンズ２２の撮影効果に干渉するのを回避し、かつ水蒸気（水気）がカメラレンズ２２と監視カメラ装置２内の関連部材を損壊させる問題を回避できる。
４．座体２１内に別途遮蔽カバー２６を増設し、座体２１内に収容された各部材を遮蔽するために用い、これにより異物や水蒸気が座体２１内部に進入し、各部材を損壊させるのを防止する。
５．照明装置４が取り外し可能な構造であるため、照明装置４を監視カメラ装置２の取り付け場面や環境に基づいて同時に２つの照明装置４を取り付けたり、単一の照明装置４のみを取り付けたり、或いは照明の明るさがより強い、またはより弱い照明装置４に交換したりすることができ、使用上の利便性という目的を達することができる。
【図面の簡単な説明】
【００１０】
【図１】従来品の立体外観図である。
【図２】従来品の実施例図である。
【図３】本考案の立体外観図である。
【図４】本考案の立体分解図である。
【図５】本考案の最良の実施例図１である。
【図６】本考案の最良の実施例図２である。
【図７】本考案の最良の実施例図３である。
【図８】本考案の別の実施例図である。
【考案を実施するための形態】
【００１１】
図３と図４に本考案の立体外観図と立体分解図をそれぞれ示す。これらの図からはっきりと分かるように、監視カメラ装置２は主に座体２１、カメラレンズ２２、水平回動装置２３、垂直回動装置２４、遮蔽カバー２６、透明カバー３、複数の発光ダイオードを排列して成る少なくとも１つの照明装置４、少なくとも１つの連結体５から構成される。そのうち、前記カメラレンズ２２が前記座体２１上に設置され、かつ前記座体２１内の前記水平回動装置２３と前記垂直回動装置２４で前記カメラレンズ２２を制御して必要な撮影角度に旋回させることができ、前記座体２１の他端に固定部材２５が設置される。前記座体２１はさらに前記遮蔽カバー２６が設置され、該座体２１内に収容された各部材を被覆するために用いられ、また前記透明カバー３が前記座体２１上に設置され、前記カメラレンズ２２を被覆し、該透明カバー３上に前記連結体５を穿設するために用いる少なくとも１つの通孔３１が穿設され、かつ該透明カバー３の外に外殻３２が設置され、該透明カバー３の強度を増加する。前記連結体５は一端が前記透明カバー３内のカメラレンズ２２に連結され、他端が前記照明装置４に連結される。これにより、前記照明装置４が前記透明カバー３の外側に単独で設置され、かつ前記連結体５の連結により、前記カメラレンズ２２が旋回すると、同時に前記照明装置４も前記カメラレンズ２２と共に回動し、照射の角度を変える。
【００１２】
図５、図６、図７に本考案の最良の実施例図を示す（同時に図４も参照する）。これらの図からはっきりと分かるように、監視カメラ装置２は前記座体２１の一端に設置された固定部材２５により壁面、天井、或いは指定の物体上に取り付けることができ、前記監視カメラ装置２が継続撮影を開始するとき、前記座体２１内の回動装置２３、２４により前記カメラレンズ２２の旋回と撮影角度を制御し、かつ前記カメラレンズ２２の回動と同時に、前記カメラレンズ２２と前記透明カバー３の外側の照明装置４を連結する連結体５により、前記照明装置４も前記カメラレンズ２２と共に回動される。これにより、前記カメラレンズ２２が撮影する方向に、前記照明装置４が光線を照射し、光を補う効果が達せられる。このほか、前記照明装置４が前記透明カバー３の外側に単独で設置されており、かつ前記連結体５と分離可能であるため、前記照明装置４は前記監視カメラ装置２の異なる取り付け環境におけるさまざまなニーズに基づいて、同時に２つの照明装置４を取り付けたり、単一の照明装置４のみを取り付けたり、或いは照明の明るさがより強い、またはより弱い照明装置４に交換し、前記カメラレンズ２２が最良の撮影効果を達せられるようにすることができる。また、前記座体２１内に別途設置された前記遮蔽カバー２６は、該座体２１内に収容された各部材を遮蔽し、異物や水蒸気が該座体２１内部に進入するのを防ぎ、各部材の損壊を防止できる。
【００１３】
さらに、前記照明装置４は前記透明カバー３の外側に単独で設置されており、自ら交換でき、使用とメンテナンス上の利便性に有利であるほか、本考案と一般の従来使用されている監視カメラ（または監視装置）を比較すると、従来発光ダイオードはカメラレンズの周囲に排列して設置されており、発光ダイオードの光の照射が撮影効果に悪影響を与えるだけでなく、発光ダイオードそのものが発光時に発する熱エネルギーが監視カメラを損壊させることさえある。
【００１４】
図８に本考案のさらに別の実施例図を示す。この図からはっきりと分かるように、そのうち監視カメラ装置２の照明装置４は必要に応じて円形やその他方形、長方形などに交換でき、使用場面或いは風の抵抗を低下させるという目的に合わせることができる。
【符号の説明】
【００１５】
１        監視カメラ
１１      レンズ
１２      発光ダイオード
２        監視カメラ装置
２１      座体
２２      カメラレンズ
２３      水平回動装置
２４      垂直回動装置
２５      固定部材
２６      遮蔽カバー
２７      支持体
３        透明カバー
３１      通孔
３２      外殻
４        照明装置
５        連結体
【図１】
0003152256.tif 000003
【図２】
0003152256.tif 000004
【図３】
0003152256.tif 000005
【図４】
0003152256.tif 000006
【図５】
0003152256.tif 000007
【図６】
0003152256.tif 000008
【図７】
0003152256.tif 000009
【図８】
0003152256.tif 000010